(57)【要約】【課題】内視鏡挿入部の先端部の外径を大きくすることなく、観察光学系の広角の観察範囲に対し、十分な明るさ，配光を以て照明することができる内視鏡を提供する。【解決手段】挿入部を有する内視鏡であって、挿入部３の挿入軸方向の先端面２１に設けられ、体腔内を観察する際に用いられる広角の視野角を有する観察光学系３２ｂと、挿入部３の上記挿入軸３２ＬＡ方向に対して傾斜された軸３３ＬＡ上に設けられ、体腔内を照明する際に用いられる複数の照明光学系と、を有し、上記複数の照明光学系の内、少なくとも１つの照明光学系の照明用レンズ１１は、光拡散処理をしたレンズであることを特徴とする。【選択図】図３
2005177025.tif 000002
【特許請求の範囲】
【請求項１】
挿入部を有する内視鏡であって、
上記挿入部の挿入軸方向の先端面に設けられ、体腔内を観察する際に用いられる広角の視野角を有する観察光学系と、
上記挿入部の上記挿入軸方向に対して傾斜された軸上に設けられ、体腔内を照明する際に用いられる複数の照明光学系と、
を有し、
上記複数の照明光学系の内、少なくとも１つの照明光学系の照明用レンズは、光拡散処理をしたレンズであることを特徴とする内視鏡。
【請求項２】
上記少なくとも１つの照明光学系の照明用レンズは、１枚の凸レンズから構成されることを特徴とする請求項１に記載の内視鏡。
【請求項３】
上記光拡散処理をしたレンズは、体腔内の観察部位に対向する面を除く少なくとも１面に光拡散面が形成されていることを特徴とする請求項１または請求項２に記載の内視鏡。
【請求項４】
上記光拡散面は、上記少なくとも１つの照明光学系の照明用レンズの曲率面に形成されることを特徴とする請求項３に記載の内視鏡。
【請求項５】
上記光拡散面は、研削研磨加工により形成されることを特徴とする請求項３または請求項４に記載の内視鏡。
【請求項６】
上記光拡散面は、研削研磨加工後にフッ化水素水を用いて表面加工されることにより形成されることを特徴とする請求項３乃至請求項５に記載の内視鏡。
【請求項７】
上記光拡散面は、プレス加工により形成されることを特徴とする請求項３または請求項４に記載の内視鏡。
【請求項８】
上記少なくとも１つの照明光学系の照明用レンズは、側面が鏡面加工されていることを特徴とする請求項１乃至請求項３に記載の内視鏡。
【発明の詳細な説明】
【技術分野】
【０００１】
本発明は、内視鏡、詳しくは、観察光学系が広角の視野角を有する広角内視鏡に関する。
【背景技術】
【０００２】
周知のように、内視鏡は、医療分野等において広く利用されている。内視鏡は、体腔内に細長い挿入部を挿入することによって、体腔内の臓器を観察したり、必要に応じて処置具の挿通チャンネル内に挿入した処置具を用いて各種処置をしたりすることができる。
【０００３】
挿入部の先端には、湾曲部が設けられ、内視鏡の操作部を操作して湾曲部を湾曲させることによって、挿入部内に配設された観察光学系の先端部の対物レンズの観察方向を変更させることができる。
【０００４】
ところで、従来の内視鏡の観察光学系の視野角は、例えば１４０°であり、術者は、その視野角の観察画像によって体腔内を観察するが、視野範囲外の部位を観察したいときは、術者は、上述したように、湾曲部を湾曲させることによって、視野範囲外の部位を観察する。
【０００５】
しかしながら、例えば大腸内を観察する際、大腸のひだの裏側等は、湾曲部を湾曲させるだけでは、所望の観察画像を得られない場合がある。このような事情に鑑み、より広い範囲を観察できるように、視野角を広くした内視鏡も提案されている（例えば特許文献１参照）。
【０００６】
特許文献１に提案された内視鏡は、挿入部の湾曲部及び先端部には、例えば１８０°の広角の視野角を有する観察光学系が配設されている。また、観察光学系を広角にした事に伴い、挿入部の湾曲部及び先端部に配設され体腔内を照明する照明光学系は、体腔内をくまなく均一に照射するため、観察光学系が配設された軸方向に対し傾斜された軸に配設されている。
【０００７】
さらに、照明光学系は、観察光学系の広角の観察範囲に対し、十分な明るさ，配光を以て照明するため、複数枚の照明用レンズから構成されるのが一般的である（例えば特許文献２参照）。
【特許文献１】特開２００１−２５８８２３号公報
【特許文献２】特開平１０−９９２６８号公報
【発明の開示】
【発明が解決しようとする課題】
【０００８】
ところで、特許文献１に提案されているような照明光学系が観察光学系の配設された軸方向に対し傾斜された軸に配設されている内視鏡は、照明光学系と観察光学系とが平行の軸に配設された内視鏡よりも、照明光学系が傾斜していることから内視鏡挿入部の湾曲部及び先端部の外径が大きくなってしまうといった事情がある。
【０００９】
また、この際、特許文献２に提案されているように照明光学系を複数枚の照明用レンズから構成すると、内視鏡挿入部の湾曲部及び先端部の外径がさらに大きくなってしまうといった問題がある。さらに、このような問題に鑑み、照明光学系を１枚のレンズにより構成すると、観察光学系の視野周辺の光量が不足するといった問題がある。
【００１０】
本発明は、上記問題点に鑑みてなされたものであり、内視鏡挿入部の先端部の外径を大きくすることなく、観察光学系の広角の観察範囲に対し、十分な明るさ，配光を以て照明することができる内視鏡を提供することを目的とする。
【課題を解決するための手段】
【００１１】
上記目的を達成するために本発明による内視鏡は、挿入部を有する内視鏡であって、上記挿入部の挿入軸方向の先端面に設けられ、体腔内を観察する際に用いられる広角の視野角を有する観察光学系と、上記挿入部の上記挿入軸方向に対して傾斜された軸上に設けられ、体腔内を照明する際に用いられる複数の照明光学系と、を有し、上記複数の照明光学系の内、少なくとも１つの照明光学系の照明用レンズは、光拡散処理をしたレンズであることを特徴とする。
【００１２】
また、上記少なくとも１つの照明光学系の照明用レンズは、１枚の凸レンズから構成されることを特徴とし、さらに、上記光拡散処理をしたレンズは、体腔内の観察部位に対向する面を除く少なくとも１面に光拡散面が形成されていることを特徴とする上記少なくとも１つの照明光学系の照明用レンズは、体腔内に対向する面を除く少なくとも１面に光拡散面が形成されていることを特徴とし、また、上記光拡散面は、上記少なくとも１つの照明光学系の照明用レンズの曲率面に形成されることを特徴とし、さらに、上記光拡散面は、研削研磨加工により形成されることを特徴とし、また、上記光拡散面は、研削研磨加工後にフッ化水素水を用いて表面加工されることにより形成されることを特徴とし、さらに、上記光拡散面は、プレス加工により形成されることを特徴とし、また、上記少なくとも１つの照明光学系の照明用レンズは、側面が鏡面加工されていることを特徴とする。
【発明の効果】
【００１３】
本発明の内視鏡は、内視鏡挿入部の先端部の外径を大きくすることなく、観察光学系の広角の観察範囲に対し、十分な明るさ，配光を以て照明することができる。
【発明を実施するための最良の形態】
【００１４】
以下、図面を参照して本発明の実施の形態を説明する。
【００１５】
（第１実施の形態）
図１は、本発明の一実施の形態を示す内視鏡の概略を示した正面図である。  
図１に示すように、内視鏡１は、湾曲操作や管路系の制御を行う操作部２と、その基端側が操作部２に接続されて体腔内に挿入される挿入部３と、操作部２から延出されて先端にコネクタ部４０を有するユニバーサルコード３ａとを有する。コネクタ部４０は、図示しない光源装置等に所定のコネクタを介して接続されるようになっている。
【００１６】
挿入部３には、可撓性を有するチューブ８と、そのチューブ８の先端側に設けられた湾曲部９と、その湾曲部９の先端側に設けられた先端部１０とが設けられている。先端部１０には、体腔内の部位を撮像するための撮像素子１１が内蔵されている。
【００１７】
操作部２には、湾曲部９を遠隔的に湾曲させるための湾曲操作ノブが配設されている。その操作ノブを操作することによって、挿入部３内に挿通された操作ワイヤ（図示せず）の引っ張り作用及び弛緩作用が生じ、その結果、湾曲部９は４つの方向に湾曲可能となっている。
【００１８】
図２は、図１の内視鏡の挿入部の先端面の正面図である。  
図２に示すように、内視鏡挿入部３の先端部１０の先端面２１には、対物レンズ３２ａと、例えば照明光学系である３つの照明用レンズ１１，１２，１３と、処置具等開口部２４と、体腔内に先端部１０を挿入した際、送気及び送水を行うことにより対物レンズ３２ａまたは３つの照明用レンズ１１，１２，１３の汚れを洗浄する送気送水用ノズル２５と、体腔内の患部の血液、粘液等を洗浄する前方送水ノズル２６とが配設されている。従って、挿入部１０の先端面２１には、対物レンズ３２ａと、３つの照明用レンズ１１，１２，１３と、処置具等開口部２４と、送気送水用ノズル２５と、前方送水ノズル２６とを配設するための複数の開口部が設けられている。
【００１９】
３つの照明用レンズ１１，１２，１３は、対物レンズ３２ａの周縁部近傍に、所定の角度の間隔を以て配置されている。また、各照明用レンズの間であって、対物レンズ３２ａの周縁部近傍には、処置具等開口部２４と、送気送水用ノズル２５と、前方送水ノズル２６とが配設されている。
【００２０】
具体的には、照明用レンズ１１と照明用レンズ１２との間には、処置具等開口部２４が配設され、照明用レンズ１２と照明用レンズ１３との間には、送気送水用ノズル２５が配設され、照明用レンズ１３と照明用レンズ１１との間には、前方送水ノズル２６が配設されている。
【００２１】
図３は、図２の内視鏡のＩＩ−ＩＩ線に沿う縦断面図、図４は、図３中の照明用レンズの拡大正面図である。  
図３に示すように、先端部１０の内部には、該先端部１０を挿入する軸と平行に配置される撮像ユニット３２，照明用レンズ１１に光を出射するライトガイドユニット３３等を配設する空間を有する先端硬質部３１が設けられている。また、先端硬質部３１の挿入軸方向先端側には、先端硬質部３１の前面及び外周面を覆うようにキャップ３１ａが被せられている。
【００２２】
撮像ユニット３２は、先端硬質部３１に挿入され固定される。撮像ユニット３２は、１５０°以上、例えば１５０°〜１７０°の広角の視野角を有する対物レンズ３２ａを有する複数の広い視野角を有するレンズにより構成された観察光学系３２ｂと、該観察光学系３２ｂの後端側に設けられたカバーガラス３２ｃと、該カバーガラス３２ｃの後端側に設けられた、ＣＣＤ等の固体撮像素子である撮像素子３２ｄとを有する。
【００２３】
撮像ユニット３２は、さらに、撮像素子３２ｄに接続された、各種回路を有する基板３２ｅを有する。さらに基板３２ｅには、信号ケーブル３２ｆが接続されている。該信号ケーブル３２ｆは、挿入部３内を挿通して内視鏡が接続される図示しないビデオプロセッサに接続されている。尚、撮像ユニット３２の先端硬質部３１への固定は、図示しない充填材等によって行われる。
【００２４】
ライトガイドユニット３３は、少なくとも１つの照明光学系の照明用レンズ１１と、該照明用レンズ１１の後端側に設けられたライトガイドである複数の光ファイバからなる光ファイバ束３３ｂとにより主要部が構成されている。
【００２５】
光ファイバ束３３ｂの硬部３３ｈの先端部と照明用レンズ１１とは、枠３３ｄ内に挿入されて固定されている。尚、この際、光ファイバ束３３ｂの出射端面と照明用レンズ１１とは、図３に示すように、直接的に隣接して配設されている。このことにより、先端硬質部３１自体の挿入軸方向の長さを短くすることができる。
【００２６】
ライトガイドユニット３３は、先端硬質部３１に対して固定ネジ３４によって固定されている。また、ライドガイドユニット３３は、先端硬質部３１から後方に延出され、図示しない照明装置に接続されている。
【００２７】
光ファイバ束３３ｂの硬部３３ｈの先端部は、図４に示すように、例えばパイプにより構成された口金部材３３Ｋを介して枠３３ｄ内に固定するようにしてもよい。詳しくは、光ファイバ束３３ｂの硬部３３ｈの先端部の外周に、口金部材３３Ｋを装着し、口金部材３３を、枠３３ｄの内周に嵌合して固定しても良い。
【００２８】
このように、光ファイバ束３３ｂを枠３３ｄに固定する際、口金部材３３Ｋを用いることにより、組立の際の光ファイバ束３３ｂと撮像ユニット３２の光軸３２ＬＡとの位置ズレを防止することができ、光ファイバ束３３ｂと照明用レンズ１１とを組み合わせた際の照明用レンズ１１から照射される光の拡散の精度及びバランス効率を向上させることができる。
【００２９】
即ち、口金部３３ｄ及び枠３３ｄを用いずに、先端硬質部３１に直接照明用レンズ１１や光ファイバ束３３ｂを組み付ける場合、先端硬質部３１及び照明用レンズ１１の加工精度や、光ファイバ束３３ｂの外径精度により、光ファイバ束３３ｂと照明用レンズ１１とを組み合わせた際の照明用レンズ１１から照射される光の拡散の精度が異なってしまうが、口金部３３Ｋを枠３３ｄに嵌合して照明用レンズ１１を先端硬質部３１に配設させることにより、これらの課題を解決することができる。
【００３０】
また、口金部３３Ｋ，枠３３ｄを用いることから、組立の際には、まず、先端硬質部３１に枠３３ｄを装着し、その後、光ファイバ束３３ｂに装着された口金部３３Ｋを先端硬質部３１内に挿入して嵌合させる。
【００３１】
よって、口金部３３Ｋに装着されていない光ファイバ束を先端硬質部３１に挿入・嵌合させる場合、光ファイバ束は軟らかいため、上記挿入・嵌合作業が行いづらいという課題があるが、上記のように構成することにより、組立作業性が向上する。
【００３２】
図３に戻って、光ファイバ束３３ｂは、外皮チューブ３３ｅによって覆われている。外皮チューブ３３ｅは、光ファイバ束３３ｂの外周に対して、糸巻き３３ｇによって固定されている。
【００３３】
光ファイバ束３３ｂは、途中の所定の位置Ｐ１において折り曲げられている。従って、照明光を出射する照明用レンズ１１の光軸３３ＬＡは、撮像ユニット３２の光軸３２ＬＡとは並行ではない。即ち、光軸３３ＬＡの先端方向が、撮像ユニット３２の光軸３２ＬＡの観察方向の先の点からから離間する方向に、光軸３３ＬＡは、光軸３２ＬＡに対して傾いている。
【００３４】
尚、他の照明用レンズ１２，１３に対応するライトガイドユニット３３の光軸も、その光軸の先端方向が、撮像ユニット３２の光軸３２ＬＡの観察方向の先の点からから離間する方向に、光軸３２ＬＡに対して傾いている。よって、ライドガイドユニット３３の先端側は、観察光学系３２ｂに対して傾いて配置されており、また照明用レンズ１１の表面は、対物レンズ３２ａの表面に対して傾いて配置されている。
【００３５】
これは、対物レンズ３２ａ及び観察光学系３２ｂは、広角の視野角を有するレンズにより構成されているため、体腔内を照明するライトガイドユニット３３は、体腔内をくまなく均一に照射する必要があるからである。
【００３６】
また、ライトガイドユニット３３が、観察光学系３２ｂに対して傾いて配置されていることにより、光ファイバ束３３ｂには、組立の際、光ファイバ束３３ｂを先端硬質部３１に挿入する際の挿入性を向上するため、例えば接着剤により固められることにより硬部３３ｈが形成されている。よって、光ファイバ束３３ｂは、硬部３３ｈと複数の光ファイバの束が結束されて構成された軟部３３ｆとにより構成されている。
【００３７】
硬部３３ｈは、光ファイバ束３３ｂの挿入軸方向前方に形成されており、軟部３３ｆは、光ファイバ束３３ｂの挿入軸方向後方に形成されている。尚、硬部３３ｈと軟部３３ｆの境界、即ち硬部３３ｈの後端部は、挿入軸方向における先端硬質部３１の後端面よりも基端側に位置するように光ファイバ束３３ｂは、先端硬質部３１により保持される。
【００３８】
これは、光ファイバ束３３ｂは、例えば作業者により光ファイバ束３３ｂが把持されて押し込まれることにより、先端硬質部３１の規定の空間に挿入されるが、硬部３３ｈと軟部３３ｆの境界が、先端硬質部３１内の後端面よりも先端側に位置するように硬部３３ｈを形成すると、作業者は、軟部３３ｆを把持しなければならず、押し込む力が光ファイバ束３３ｂの先端まで伝わり難く組立効率が悪いといった事情がある。
【００３９】
よって、上述したように、上記境界を、挿入軸方向における先端硬質部３１の後端面よりも基端側に配設すれば、作業者は、硬部３３ｈを把持して光ファイバ束３３ｂを先端硬質部３１の空間に挿入することができるため、押し込む力が、確実に光ファイバ束３３ｂの先端まで伝えることができることから、組立性を向上することができる。
【００４０】
さらに、照明用レンズ１１は、光拡散処理をした１枚のレンズから構成されている。詳しくは、図４に示すように、照明用レンズ１１は、１枚の凸レンズにより形成されており、体腔内の観察部位に対向する面を除く少なくとも１面、例えば光ファイバ束３３ｂの出射端面に接触する曲率面に、光拡散面１１ａが形成されている。
【００４１】
これは、照明用レンズ１１に光拡散面１１ａが形成されていないとすると、光ファイバ束３３ｂの出射端面から出射した光線は、Ｌ１，Ｌ２，Ｌ３，Ｌ４のごとく結像せず収斂する。言い換えれば、結像面４上には、光ファイバ束３３ｂの出射端面の網目状の模様が結像面４上に結像する、網目状の配光ムラが発生する。
【００４２】
また、実際にライトガイドユニット３３を組み立てる場合には、観察光学系３２ｂ等を構成する他の部材との干渉等から、光ファイバ束３３ｂの出射端面と照明用レンズ１１との間に間隔が生じてしまうことがある。このような状態が生じると、光ファイバ束３３ｂの出射端面が照明用レンズ１１の後方焦点位置ｆｆに近づき、光ファイバ束３３ｂの出射端面の網目状の模様が結像面４上に結像することになって、結像面４上において照明光の配光ムラが顕著になる。
【００４３】
そこで、照明用レンズ１１の曲率面に光拡散面１１ａ形成することが必要になる。光拡散面１１ａは、光ファイバ束３３ｂの出射端面からの出射光が通過する際、拡散する。即ち、照明用レンズ１１に光拡散面１１ａが形成されていない場合には、Ｌ１〜Ｌ４のように放射される光線が、光拡散面１１ａを通過することによってＬ１’，Ｌ２’，Ｌ３’，Ｌ４’のように結像面４上に投影されることになり、配光ムラが解消される。
【００４４】
ところで、一般に、照明用レンズの形成方法としては研削研磨加工と、プレス加工がある。研削研磨加工では、大きい粒子の砥石から段階的に細かい粒子の砥石に代えてレンズ面の鏡面仕上げが行われる。照明用レンズ１１は、光拡散面１１ａ以外の面は、研削研磨加工の後、鏡面仕上げ加工されることにより形成され、光拡散面１１ａは、研削研磨加工により砂目形状となるように形成される。
【００４５】
また、照明用レンズは、プレス加工を用いて形成することもできる。この場合には、成形用の金型も研削により製作するため、その表面を鏡面に仕上げず、数〜数十マイクロメートル程度の粗さのままにしておく。この場合、その金型を用いれば１回の工程で光拡散面が形成されたレンズを製作することができ、加工工程を減らし、レンズの原価を安くすることができる。尚、上記金型の表面はマイクロレンズ形状やディフューザー形状またはフレネルレンズであってもよい。
【００４６】
また、図５に、図４の照明用レンズ１１の光拡散面１１ａの部分拡大正面図を示すが、一般に研削研磨によって砂目に処理が施されて光拡散面１１ａは、表面が粗れている。特に８００番程度の大きい粒子の砥石を用いて形成された光拡散面では表面が非常に粗れており、その光の透過率は３０％程度になってしまう。
【００４７】
このように、粗い粒子の砥石で形成した光拡散面は、光拡散面効果が高く照明光の配光ムラの回避には非常に有効である。しかし、かかる光拡散面はレンズ内部や筐体内で光の乱反射を多量に発生させ、光ファイバ束３３ｂからの出射光を観察視野内へ効率良く導くことができなくなり、光の利用効率が劣化してしまう。
【００４８】
そこで、光拡散面１１ａには、砂目処理が施されて、光拡散面が形成された後に、例えばフッ化水素水を用いた化学的な表面処理が施され、図５に示すように、滑らかな光拡散面に形成されている。このことにより、光拡散効率を減少させ、上述したような網目状の配光ムラを実用上問題ないレベルまで減少させつつ、物体面の視野内へ照明光を効率良く導くことができ、視野周辺の光量不足を解消することができる。
【００４９】
さらに、光拡散面１１ａは、体腔内に対向する面を除く少なくとも１面に設けられていることから、観察や保管の際に付着する汚物やごみ等が、滅菌、消毒後に照明用レンズ１１の体腔内に対向する面に残留することがなく、衛生上の問題が生じることはない。
【００５０】
また、照明用レンズ１１は、凸レンズ１枚のみから構成されているため、広配光を維持しながらも、光学系の全長および外形の小型化が達成される。よって、内視鏡挿入部３の先端部１０の外径Ｄを、照明光学系を複数枚の照明用レンズから構成した場合に比べ、小さく形成することができる。
【００５１】
さらに、照明用レンズ１１は、図６に示すように、側面１１ｃを鏡面に加工してもよい。このことにより、光拡散面１１ａにより乱反射した光線も結像面４の視野内へ照射でき、光ファイバ束３３ｂの出射端面からの照明光を効率良く利用できる。
【００５２】
送気送水用ノズル２５は、例えば金属により構成されており、送気送水用ノズル２５の先端側には、開口部２５ａが設けられている。開口部２５ａは、送気送水用ノズル２５から噴出された水またはエアが、撮像ユニット３２の光軸に直交平面に平行な方向で、かつ対物レンズ３２ａの表面と、照明用レンズ１１の表面を通る方向に噴出されるように設けられる。
【００５３】
また、送気送水用ノズル２５は、対物レンズ３２ａの視野角の範囲に入らない位置に、先端部１０の先端面２１から突出して形成されている。
【００５４】
以上から、キャップ３１ａと照明用レンズ１１と対物レンズ３２ａと送気送水用ノズル２５との各々の先端面により形成される先端部１０の先端面２１の形状は、傾斜を有する放物状を有している。
【００５５】
送気送水用ノズル２５の基端側は、パイプ形状を有しており、連結管２５ｂを介して送水チューブ２５ｃが接続されている。よって、連結管２５ｂと送水チューブ２５ｃによって送水管路が形成される。送水チューブ２５ｃは、糸巻き２５ｄによって連結管２５ｂに固定されている。
【００５６】
先端硬質部３１の基端部は、湾曲先端コマ３５の一部に固定されている。先端硬質部３１の基端側と湾曲先端コマ３５とは、外皮チューブ３６によって覆われている。外皮チューブ３６は、糸巻き３７によって先端硬質部３１に固定されている。
【００５７】
このように、本発明の一実施の形態を示す内視鏡においては、照明用レンズ１１は、光ファイバ束３３ｂの出射端面に接触する曲率面に光拡散面１１ａが形成された、光拡散処理がなされた１枚の凸レンズから構成されている。
【００５８】
この光拡散処理がなされた照明用レンズ１１の光拡散面１１ａは、研削研磨加工がなされた後、例えばフッ化水素水を用いた化学的な表面処理が施され、滑らかな光拡散面に形成されていることから、照明用レンズ１１は、配光ムラを実用上問題ないレベルまで減少させつつ、結像面の視野内へ照明光を効率良く均一にくまなく導くことができる。
【００５９】
また、照明用レンズ１１は、凸レンズ１枚のみから構成されているため、広配光を維持しながらも、光学系の全長および外形の小型化が達成されることから内視鏡挿入部３の先端部１０の外径Ｌを、照明光学系を複数枚の照明用レンズから構成した場合に比べ、小さく形成することができる。さらに、照明用レンズが１枚で良いことから生産コストの低減及び組立性の向上も図ることができる。
【００６０】
よって、内視鏡挿入部の先端の外径を大きくすることなく、観察光学系の広角の観察範囲に対し、十分な明るさ，配光を以て照明することができる内視鏡を提供することができる。
【００６１】
さらに、光ファイバ束３３の硬部３３ｈと軟部３３ｆの境界、即ち硬部３３ｈの後端部は、挿入軸方向における先端硬質部３１の後端面よりも基端側に位置するように光ファイバ束３３ｂの一部は、先端硬質部３１内に配設される。
【００６２】
よって、作業者は、硬部３３ｈを把持して光ファイバ束３３ｂを先端硬質部３１に挿入することができるため、押し込む力が、確実に光ファイバ束３３ｂの先端まで伝えることができることから、組立性を向上することができる。
【００６３】
尚、本実施の形態においては、照明用レンズは、照明用レンズ１１を例に挙げて説明したが、これに限らず、照明用レンズ１２または照明用レンズ１３を用いた場合でも、本発明の実施の形態と同様の効果が得られるということは云うまでもない。
【００６４】
［付記］
以上詳述した如く、本発明の実施形態によれば、以下の如き構成を得ることができる。即ち、
（１）挿入部を有する内視鏡であって、
上記挿入部の挿入軸方向の先端面に設けられ、体腔内を観察する際に用いられる広角の視野角を有する観察光学系と、
上記挿入部の上記挿入軸方向に対して傾斜された軸上に設けられ、体腔内を照明する際に用いられる複数の照明光学系と、
を有し、
上記複数の照明光学系の内、少なくとも１つの照明光学系の照明用レンズは、光拡散処理をしたレンズであることを特徴とする内視鏡。
【００６５】
（２）上記少なくとも１つの照明光学系の照明用レンズは、１枚の凸レンズから構成されることを特徴とする付記１に記載の内視鏡。
【００６６】
（３）上記光拡散処理をしたレンズは、体腔内の観察部位に対向する面を除く少なくとも１面に光拡散面が形成されていることを特徴とする付記１または付記２に記載の内視鏡。
【００６７】
（４）上記光拡散面は、上記少なくとも１つの照明光学系の照明用レンズの曲率面に形成されることを特徴とする付記３に記載の内視鏡。
【００６８】
（５）上記光拡散面は、研削研磨加工により形成されることを特徴とする付記３または付記４に記載の内視鏡。
【００６９】
（６）上記光拡散面は、研削研磨加工後にフッ化水素水を用いて表面加工されることにより形成されることを特徴とする付記３乃至付記５に記載の内視鏡。
【００７０】
（７）上記光拡散面は、プレス加工により形成されることを特徴とする付記３または付記４に記載の内視鏡。
【００７１】
（８）上記少なくとも１つの照明光学系の照明用レンズは、側面が鏡面加工されていることを特徴とする付記１乃至付記３に記載の内視鏡。
【００７２】
（９）挿入部を有し、該挿入部の挿入軸方向に配設された、体腔内を観察する際に用いる観察光学系が広角の視野角を有する内視鏡であって、
上記挿入部の上記挿入軸方向に対して傾斜した軸の先端面に設けられ、体腔内を照明する際に用いられる少なくとも１つの照明光学系と、
上記少なくとも１つの照明用レンズの後端部に連設され、上記挿入軸方向前方に硬部と上記挿入軸方向後方に軟部とを有する光ファイバ束と、
上記挿入部に配設され、上記光ファイバ束を把持する硬質部と、
を有し、
上記光ファイバ束の硬部の後端部は、上記挿入軸方向における上記硬質部の後端面よりも基端側に配設されていることを特徴とする内視鏡。
【００７３】
（１０）上記光ファイバ束の硬部は、複数の光ファイバを接着剤により固められることにより構成されていることを特徴とする付記９に記載の内視鏡。
【図面の簡単な説明】
【００７４】
【図１】本発明の一実施の形態を示す内視鏡の概略を示した正面図
【図２】図１中の内視鏡の挿入部の先端面の正面図。
【図３】図２中の内視鏡のＩＩ−ＩＩ線に沿う縦断面図。
【図４】図３中の照明用レンズの拡大正面図。
【図５】図４中の照明用レンズの光拡散面の部分拡大正面図。
【図６】図４中の照明用レンズの側面を鏡面加工したことを示す部分拡大正面図。
【符号の説明】
【００７５】
１…内視鏡
３…挿入部
１０…挿入部の先端部
１１…照明用レンズ（照明光学系）
１１ａ…光拡散面
１１ｃ…側面
１２…照明用レンズ（照明光学系）
１３…照明用レンズ（照明光学系）
２１…挿入部の先端面
３２ｂ…観察光学系
代理人    弁理士    伊藤  進
【図１】
2005177025.tif 000003
【図２】
2005177025.tif 000004
【図３】
2005177025.tif 000005
【図４】
2005177025.tif 000006
【図５】
2005177025.tif 000007
【図６】
2005177025.tif 000008